(57)【要約】本発明は、ターミナル装置（１０）における自動再送要求処理のための冗長パラメータを提供するための方法、端末装置およびネットワーク装置に関する。少なくともひとつの冗長パラメータのシーケンスが所定シーケンスのセットから選択され、選択されたパラメータシーケンスを差し示す戦略情報を使用して端末装置に対し信号が送られる。それにより、ネットワークオペレータは、ネットワークおよびＵＥ（１０）の間でわずかなシグナリングが要求されている間に端末装置（１０）により使用される冗長バージョン戦略を選択することができる。さらに、柔軟性のある戦略が提供されることが可能であり、ここでは個別の冗長バージョン戦略が接続に割り当てられることが可能である。【選択図】図１
2007507954.tif 000002
【特許請求の範囲】
【請求項１】
端末装置（１０）における自動再送要求処理のための冗長パラメータを提供する方法であって、
ａ）冗長パラメータの所定のシーケンスのセットを用意するステップと、
ｂ）前記所定シーケンスのセットのうち少なくともひとつを選択するステップと、
ｃ）選択された少なくともひとつのシーケンスを差し示す戦略情報を前記端末装置（１０）に送信するステップと、
を含む方法。
【請求項２】
前記戦略情報が、前記選択された少なくともひとつの所定シーケンスに対するインデックスまたはポインタである、請求項１に記載の方法。
【請求項３】
前記送信するステップが上位レイヤシグナリングを使用して実行される、請求項１または２に記載の方法。
【請求項４】
前記上位レイヤシグナリングが無線リソース制御シグナリングである、請求項３に記載の方法。
【請求項５】
前記選択された少なくともひとつのシーケンスから使用される冗長パラメータについて通知するために、アウトバンドシグナリングを使用するステップをさらに含む、請求項３または４に記載の方法。
【請求項６】
前記アウトバンドシグナリングの量が、前記選択された少なくともひとつのシーケンスに依存するようにされている、請求項５に記載の方法。
【請求項７】
前記送信するステップが接続開始時に実行される、前記請求項のいずれか１項に記載の方法。
【請求項８】
前記所定シーケンスのセットが事前に定義された固定セットである、前記請求項のいずれか１項に記載の方法。
【請求項９】
前記冗長パラメータが自己復号化可能冗長バージョンを定義する第一のパラメータおよびパンクチャされるビットを定義する第二のパラメータを含む、前記請求項のいずれか１項に記載の方法。
【請求項１０】
前記所定シーケンスのセットが、チェイス合成戦略、部分的増分冗長戦略、および完全増分冗長戦略のうち少なくともひとつに関連するシーケンスを含む、前記請求項のいずれか１項に記載の方法。
【請求項１１】
前記戦略情報が前記冗長パラメータのシーケンスを含む、前記請求項のいずれか１項に記載の方法。
【請求項１２】
前記送信するステップが、前記戦略情報を所定の領域内に位置するすべての端末装置へ一斉送信することにより実行される、前記請求項のいずれか１項に記載の方法。
【請求項１３】
前記送信するステップが、無線通信リンクを介して実行される、前記請求項のいずれか１項に記載の方法。
【請求項１４】
前記自動再送要求処理が、高速アップリンク専用チャネルにおけるデータ送信のために実行される、前記請求項のいずれか１項に記載の方法。
【請求項１５】
冗長戦略を自動再送要求処理機能（１００）に適用するための端末装置であって、
ａ）選択された冗長パラメータのシーケンスを差し示す戦略情報を受信するための受信手段と、
ｂ）前記戦略情報の受信を受けて、前記自動再送要求機能（１００）のための前記選択された冗長パラメータのシーケンスを生成するためのパラメータ生成手段（１０２）と、
を含む端末装置（１０）。
【請求項１６】
前記端末装置が移動体通信ネットワークの携帯端末（１０）である、請求項１５に記載の端末装置。
【請求項１７】
前記受信手段が、無線リソース制御シグナリングを介して前記戦略情報を受信するよう構成される、請求項１５または１６に記載の端末装置。
【請求項１８】
前記端末装置（１０）が、アウトバンドシグナリングを使用することにより、前記選択された少なくともひとつのシーケンスから使用される冗長パラメータについて通知するよう構成される、請求項１５から１７のいずれか１項に記載の端末装置。
【請求項１９】
前記端末装置が、前記受信した戦略情報を受けて前記アウトバンドシグナリングの量を設定するよう構成されている、請求項１８に記載の端末装置。
【請求項２０】
前記パラメータ生成手段（１０２）が、自己復号化可能冗長バージョンを定義する第一のパラメータおよびパンクチャされるビットを定義する第二のパラメータを生成するよう構成される、請求項１５から１９のいずれか１項に記載の端末装置。
【請求項２１】
冗長パラメータのシーケンスのセットを格納するための格納手段をさらに含み、前記戦略情報が前記格納されたシーケンスのセットに対するインデックスまたはポインタを含む、請求項１５から２０のいずれか１項に記載の端末装置。
【請求項２２】
端末装置（１０）に通信リンクを提供するためのネットワーク装置であって、
ａ）冗長パラメータのシーケンスを選択するための選択手段と、
ｂ）前記選択されたシーケンスを差し示す戦略情報を生成するための生成手段と、
ｃ）前記戦略情報を前記端末装置へ送信するための送信手段と、
を含むネットワーク装置。
【請求項２３】
使用される冗長パラメータについての通知を、アウトバンドシグナリングチャネルを介して受信するための受信手段をさらに含む、請求項２２に記載のネットワーク装置。
【請求項２４】
前記送信手段が、所定の領域を対象とするブロードバンドチャネル内において、前記戦略情報を送信するよう構成される、請求項２２または２３に記載のネットワーク装置。
【請求項２５】
前記冗長パラメータのシーケンスのセットを格納するための格納手段をさらに含む、請求項２２から２４のいずれか１項に記載のネットワーク装置。
【請求項２６】
前記ネットワーク装置が、基地局装置（２０）または無線ネットワーク制御装置（３０）である、請求項２２から２５のいずれか１項に記載のネットワーク装置。
【請求項２７】
端末装置（１０）における自動再送要求処理のための冗長パラメータを提供するシステムであって、請求項１５から２１のいずれか１項に記載の端末装置および請求項２２から２６のいずれか１項に記載のネットワーク装置を含むシステム。
【発明の詳細な説明】
【技術分野】
【０００１】
本発明は、通信ネットワークの端末装置における自動再送要求処理のための冗長パラメータを提供するための、特に第三世代移動体通信ネットワークにおけるアップリンク送信のための方法、端末装置およびネットワーク装置に関する。
【背景技術】
【０００２】
有線リンクに関して、データ通信における信頼性は従来、反復によって得られるものである。パケットは、先の試みが失敗した際に再送信される。そのようなメカニズムは、自動再送要求（ＡＲＱ）と呼ばれる。無線送信の場合、リンクの質の低さにより、パケットは、チャネルノイズ、可動性によるフェーディング、およびその他のユーザにより引き起こされる混信から保護される必要がある。保護は主としてフォワードエラーコーディング（ＦＥＣ）、例えば、データパケットに組み込まれる追加のビットを送信することにより与えられる。しかし、有線システムと同じ品質を提供するためには、ＦＥＣオーバーヘッドにより極めて非効率的な送信がもたらされる可能性がある。結果として、ＦＥＣとＡＲＱを組み合わせる複合スキームが提案されている。複合ＡＲＱ（Ｈ‐ＡＲＱ）は、ＡＲＱとＦＥＣの共同使用として定義されている。ＦＥＣは最もよくある誤りを訂正し、そうすることで従来型のＡＲＱスキームが失速するのを回避する。一方、ＡＲＱはＦＥＣの失敗を防止することもあり得る。したがって、受信機は誤りのある送信を、新しいものを復号化する前に破棄することができる。しかし、デコーダは現在の復号化性能を向上させる先の試みにより利益を得る可能性がある。これを実現するために、増分冗長スキームが発展してきており、そこでは第一の送信が高速コードによって暗号化され、したがって低オーバーヘッドであるが低保護でもあり、次の送信は、受信機によって見られる符号化率を低下させるため、単に追加の冗長からなる。
【０００３】
広帯域符号分割多元接続（ＷＣＤＭＡ）システムのアップリンクパケットデータに対する昨今の強化は、第三世代の専門用語で「ユーザ装置（ＵＥ）」と呼ばれるモバイルユニットまたは携帯端末から、第三世代の専門用語で「ノードＢ」と呼ばれる固定局へのデータの無線送信にまでおよぶ。ここで、データパケットの誤り受信の問題は無線リンク制御（ＲＬＣ）シグナリングにより処理される。これは、再送信が比較的大きなバッファを要求し、重大な遅延を生じる点において不都合である。強化アップリンクデータに関連する調査中の技術のひとつに高速Ｈ‐ＡＲＱがあり、ここでパケット再送信は物理レイヤまたは媒体アクセス制御（ＭＡＣ）のいずれか、したがって原理上は無線ネットワーク制御装置（ＲＮＣ）の代わりにノードＢで処理される。このことは、ＵＥからの送信のブロック誤り率（ＢＬＥＲ）標的のより攻撃的な設定を可能にし、それは削減された信号対雑音（Ｅｂ／ＮＯ）要求によってアップリンク容量内の潜在的利益をもたらし、再送信遅延を大幅に削減するであろう。
【０００４】
第三世代パートナーシッププロジェクト（３ＧＰＰ）仕様のリリース５のための高速ダウンリンクパケットアクセス（ＨＳＤＰＡ）標準化段階の間に、高速Ｈ‐ＡＲＱの構想が高速ダウンリンクシェアードチャネル（ＨＳ−ＤＳＣＨ）の処理に導入され、ここでノードＢは一定ユーザへの送信に使用される冗長バージョン（ＲＶ）を完全制御する、すなわち、標準規格は単に実行可能なＲＶを特定するにすぎないが、ノードＢは任意のＲＶを任意の順序で自由に使用する。ノードＢは、単にＲＶを選び、このＲＶを使用するＨＳ‐ＤＳＣＨ上のデータ送信の直前、ハイスピードシェアードコントロールチャネル（ＨＳ‐ＳＣＣＨ）上のＵＥに、使用されるＲＶを知らせる。ＨＳ‐ＤＳＣＨに対する冗長バージョンのシグナリングには、８つの実行可能な冗長バージョンが示されることができるよう、ＨＳ−ＳＣＣＨ上に３ビットが割り当てられている。
【０００５】
同様に、アップリンク送信用のＲＶを選択する最も単純な解決策は、この選択が完全にＵＥに委ねられるものであろう。しかし、このことは異なるノードＢが、ＵＥが考慮すべき、異なる性能を有する場合に問題を起こし得る。さらに、ネットワークは異なる方法、例えば高または低ＢＬＥＲ標的で操作されることがあり、次善のネットワーク性能のみ実現されるように、これらはそれぞれ異なる最適ＲＶ戦略を有することができる。異なる冗長バージョンに関する詳細および関連する処理スキームは、３ＧＰＰ仕様ＴＳ２５．２１２から収集できる。
【０００６】
アップリンク指示における別の問題は、ＵＥからノードＢへのシグナリングが、強化されたＤＣＨモード内で作動するすべてのＵＥからオーバーヘッドを生じさせることである。これらの値の誤り受信は、誤りパンクチャリングパターンの導入によってデータパケット自体の誤り受信を引き起こすため、ＲＶ暗号情報が適切に受信されることは極めて重要である。
【非特許文献１】３ＧＰＰ仕様ＴＳ２５．２１２
【発明の開示】
【０００７】
したがって、本発明の目的は、改良された冗長戦略選択スキームを提供し、それによって選択における柔軟性を高める一方で、シグナリングロードが削減できるようにすることである。
【０００８】
この目的は、端末装置における自動再送要求処理のための冗長パラメータを提供する方法により実現され、前記方法は、
冗長パラメータの所定シーケンスのセットを用意するステップと、
前記所定シーケンスのセットのうち少なくともひとつを選択するステップと、
選択された少なくともひとつのシーケンスを差し示す戦略情報を前記端末装置に送信するステップと、
を含む。
【０００９】
さらに、上記目的は、冗長戦略を自動再送要求機能に適用するための端末装置により実現され、前記端末装置は
選択された冗長パラメータのシーケンスを差し示す戦略情報を受信するための受信手段と、
前記戦略情報を受けて、前記自動再送要求機能のための前記選択された冗長パラメータのシーケンスを生成するためのパラメータ生成手段と、
を含む。
【００１０】
最後に、上記目的は、端末装置に通信リンクを提供するためのネットワーク装置により実現され、前記ネットワーク装置は、
冗長パラメータのシーケンスを選択するための選択手段と、
前記選択されたシーケンスを差し示す戦略情報を生成するための生成手段と、
前記戦略情報を前記端末装置へ送信するための送信手段と、
を含む。
【００１１】
したがって、ネットワークオペレータは、単に予め定められた戦略情報を選択しこの情報を端末装置に知らせることによって、端末装置により使用される冗長戦略を選択することができる。その結果、端末装置は、独自の戦略を個別に選択しない。提案されている選択スキームにおいては、戦略またはシーケンスを差し示す情報しか、ネットワークから端末装置へ送信され得ないので、ネットワークと端末装置間に要求されるシグナリングの量が少なくて済む。さらに、ノードＢおよび端末装置双方が、その送信戦略またはシーケンスが使用可能であることを把握している場合、シーケンスの各パラメータではなく、単に戦略を示す情報をシグナリングすることによって、シグナリングオーバーヘッドをさらに削減できる。
【００１２】
特に、戦略情報は、選択された少なくともひとつの所定シーケンスに対するインデックスまたはポインタであってよい。その結果、シグナリング量は、戦略情報は選択されたパラメータシーケンスを指すインデックスまたはポインタを特定するだけでよいため、所定シーケンスのセット内のシーケンス数次第であるにすぎない。
【００１３】
送信するステップは、上位レイヤシグナリングによって実行されてもよい。一例として、上位レイヤシグナリングは無線リソース制御シグナリングであってよい。上位レイヤシグナリングの使用は、下位レイヤシグナリングが送信遅延を削減するこの追加シグナリングから開放されるという利点を提供する。
【００１４】
さらに、送信するステップは接続開始時に実行されてもよい。その結果、特定の接続に使用される冗長パラメータの冗長戦略またはシーケンスは、端末装置にとって早期利用可能であるようにされる。
【００１５】
代替として、所定シーケンスのセットまたは戦略は、事前定義の固定セットであってよい。その結果、各戦略の特定パラメータシーケンスのシグナリングが要求されないように、端末装置およびネットワークは事前にその冗長戦略が利用可能であることを把握している。
【００１６】
冗長パラメータは、自己復号化可能冗長バージョンを定義する第一のパラメータおよびパンクチャされるビットを定義する第二のパラメータを含んでよい。一例として所定シーケンスのセットはチェイス合成戦略、部分的増分冗長戦略、および完全増分冗長戦略のうち少なくともひとつに関連するシーケンスを含んでよい。これらの異なる戦略を提供することにより、再送要求スキームの異なるネットワーク状態または特性に対する優れた適応が得られる。
【００１７】
送信は、戦略情報を所定の領域内に位置するすべての端末装置へ一斉送信することにより実行されてもよい。その結果、特定領域内のすべての端末装置は、このネットワークエリアの独自能力に対して優れた適応が保証されるように、同じ冗長戦略を使用するよう制御される。
【００１８】
自動再送要求処理は、専用輸送チャネル、例えば、第三世代移動通信システムの高速アップリンク専用チャネルにおけるデータ送信のために実行されてもよい。
【００１９】
端末装置は、ネットワークから信号を送られた、または各仕様によって事前構成された冗長パラメータのシーケンスのセットを格納するための格納手段を含んでよい。同様に、ネットワーク装置は、冗長パラメータのシーケンスのセットを格納するための、そこから選択手段によって特定のシーケンスを選択できる格納手段を含んでよい。端末装置において使用される冗長パラメータは、アウトバンドシグナリングを使用してネットワークに知らされてよく、これは専用データ送信チャネルには影響しない。アウトバンド情報の量は、選択された冗長パラメータのシーケンス次第であってよい。したがって、端末装置は、受信した戦略情報を受けて、アウトバンドシグナリングの量を設定するように構成されてよい。これに相応して、ネットワーク装置は、アウトバンドシグナリングチャネルを介して、使用される冗長パラメータについての通知を受信するための受信手段を含んでよい。
【００２０】
さらなる有益な進歩は従属請求項において明らかにされる。
【好適な実施形態の説明】
【００２１】
本発明を、添付図面を参照して実施形態に基づき説明する。以下、図１に示されるような第三世代ＷＣＤＭＡ無線アクセスネットワークに基づき、実施形態を説明する。
【００２２】
ユニバーサルモバイルテレコミュニケーションシステム（ＵＭＴＳ）のような第三世代携帯電話システムは、携帯電話ユーザへの広範囲にわたるサービスおよび用途を提供するようデザインされている。高いユーザビット速度のサポートは、おそらくＵＭＴＳの最も周知の機能である。携帯電話ユーザは、ＷＣＤＭＡ準拠のＵＭＴＳ陸上無線アクセスネットワーク（ＵＴＲＡＮ）を介してＵＭＴＳにアクセスすることができる。図１によると、基地局またはノードＢ２０は、Ｌ１無線インタフェースを終了し、アップリンクトラフィックを端末装置またはＵＥ１０からＲＮＣ３０へ転送する。ＲＮＣ３０は、無線資源管理（ＲＲＭ）に関与し、ＵＴＲＡＮのその部分内にあるすべての無線資源を制御する。ＲＮＣ３０はＵＥ１０のためのキーインタフェースパートナーであり、例えばＵＭＴＳ移動通信交換局またはサービングＧＰＲＳ（一般パケットラジオサービス）サポートノード（ＳＧＳＮ）（双方とも図１に示されず）を介して、基幹ネットワーク４０のためのインタフェースエンティティの構成要素となる。ＵＴＲＡＮ内においては、非同期転送モード（ＡＴＭ）がＵＴＲＡＮノードの陸上接続、すなわちＲＮＣおよびノードＢのための主な輸送技術として使用されている。
【００２３】
図１に示される簡易サンプルアーキテクチャにおいて、ＵＥ１０は無線インタフェースを介しノードＢ２０に接続されている。当然ながら、ＲＮＣ３０またはその他のＲＮＣを介して接続される数個のノードＢが提供され得る（図示なし）。ノードＢは各ｌｕｂインタフェースを介してＲＣＮに接続される。ノードＢは、ひとつ以上のセルにおけるＵＥ１０へ／からの無線送信および受信に関与する論理ノードであり、各ＲＮＣのためのｌｕｂインタフェースを終了する。ＲＮＣは、ｌｕ‐ＣＳインタフェースを介する回線交換（ＣＳ）トラフィックおよびｌｕ‐ＰＳインタフェース（ＰＳ）トラフィックを介するパケット交換（ＰＳ）トラフィックのため、基幹ネットワーク４０への接続を提供する。注目すべきは、典型例において多くのノードが同じＲＮＣに接続されていることである。
【００２４】
実施形態によると、ＲＶパラメータの所定シーケンスを定義する少なくとも２つのＲＶ戦略は、ノードＢ２０において提供または選択される。ＲＶ戦略のセットは、ノードＢ２０のメモリ内に格納されてよく、またノードＢ２０によってネットワークデータベース等から導出されてもよい。ＵＥ１０への接続が設定されると、ノードＢ２０は少なくともひとつの選択されたＲＶ戦略を示す戦略情報をＵＥ１０に知らせる。戦略情報を受信すると、ＵＥ１０はＲＶパラメータの対応するシーケンスを導出するための位置につく。これはＵＥ１０に設けられた各メモリにおける戦略のセットに対応するパラメータシーケンスを格納するための格納手段を提供することによって実現されることができる。メモリは所定のネットワーク仕様に基づいて事前構成されてよく、また、ノードＢ２０から受信した対応するシグナリング情報によって事前にパラメータシーケンスを搭載していてもよい。代替として、ノードＢ２０は、所定のパラメータシーケンスを選択し、直接選択されたパラメータシーケンスを含む戦略情報を送信するように構成されてよい。
【００２５】
ＲＶ戦略はネットワークにより特定されるが、ＵＥ１０は各データパケットと共に実際に使用されるＲＶパラメータを送ってよい。このことは、ネットワークがいくつかのアップリンク送信を失敗し、したがってＵＥ１０が実際に送信しているのがどのバージョン（すなわち、第一、第二、第三等のバージョン）のパケットであるかを把握していない場合に利点となり得る。ＲＶパラメータは、本明細書において個別送信の一種として理解される、すなわちヘッダとしてデータパケット内にないアウトバンドシグナリングを使用することにより送られてよい。ＲＶパラメータは、受信したデータパケットを復号化できるようにするために必要である。したがって、「インバンド」ヘッダを含むパケットを読み出すために復号化の成功が要求され、ＲＶパラメータはこの復号化のために必要とされるため、ＲＶパラメータは「インバンド」で送られることができない。アウトバンドシグナリングは、個別にチャネルコード化されたデータを有する時分割のヘッダを使用して、もしくは、異なるコードチャネルまたは物理チャネルを使用して送信されることができる。ＲＶ戦略がＵＥ１０に把握され次第、使用されたＲＶパラメータをアップリンク指示で示すために必要とされるビット数が導出されることができ、したがってネットワークによる戦略選択に依存するようにされ得る。
【００２６】
以下、ダウンリンク指示におけるＨＳＤＰＡに特定の冗長バージョンを用いて本発明の実施形態をさらに詳しく説明する。以下の表は、ＲＶ値Ｘｒｖのシーケンスによってインデックスを付けられ、３ＧＰＰ仕様ＴＳ２５．２１２においてＱＰＳＫに特定される８つの実行可能なＲＶを示す。パラメータｓ＝１は自己復号化可能冗長バージョンを定義するものであり、ここで系統ビットは奇偶検査ビットよりも優先順位が高く（すなわち、奇遇検査ビットにおいて最初にパンクチャリングが行われる）、パラメータはどのビットがパンクチャされるかを定義する。
2007507954.tif 000003
上記ＲＶパラメータ値から導出された実行可能なＲＶ戦略は、例えば、以下の異なる戦略を含んでよい。
−    パケットの誤り受信の場合にまったく同じパケットが再送信されるチェイス合成戦略（ＣＣ）。すべてのパケットが個別に受信されることが可能だが、雑音電力の影響を削減するために、受信中は結合されることもある。
−    すべてのパケットが自己復号化可である（または３ＧＰＰ専門用語によれば、系統ビットを優先する）が、まったく同じパケットを送信する代わりに異なるパンクチャパターンが使用され、結合利得の一部を符号化利得と交換する部分的増分冗長戦略（ＰＩＲ）。送信されたデータパケットはすべて自己復号化可であるため、符号化増加の全潜在能力を利用することができない。
−    再送信の主な標的が、結合利得を犠牲にして符号化利得の最大潜在能力に達することである、完全増分冗長戦略（ＦＩＲ）。これは性能の観点から見ると効果的な戦略であるが、第一の送信または受信が完全に失敗した場合、再送信はＣＣまたはＰＩＲと比較して極めて貧弱な性能となるであろう。
【００２７】
しかし、注目すべきは、これらの戦略が例にすぎず、その他の適合する戦略が本発明に関連して適用されてもよいということである。
【００２８】
各戦略を表すＲＶシーケンスは、上記表のインデックス番号を使用して以下のように選択される可能性がある。
【００２９】
ＣＣ：０，０，０，０，０，０，０，０
ＰＩＲ：０，２，４，６，０，２，４，６
ＦＩＲ：０，１，２，３，４，５，６，７
上記したＲＶパラメータの戦略またはシーケンスは、以下のように解釈できる。ある一組の第一の送信は、上記で特定されたすべての戦略においてＸｒｖ＝０というパラメータの組み合わせを使用するべきである。ＣＣに関しては、すべての送信が同じであるべきであり、したがってＸｒｖ＝０を使用することになるであろう。ＰＩＲに関しては、第二の送信がＸｒｖ＝２、第三の送信がＸｒｖ＝４等のパラメータの組み合わせを使用するべきであり、すなわち、ｓ＝１のようにすべての送信が自己復号化可である。最後に、ＦＩＲに関しては、すべてのパラメータの組み合わせＲＶがシーケンスにおいて使用され、第一の送信にはＸｒｖ＝０、第二の送信等にはＸｒｖ＝１が使用される。８以上の送信または再送信が必要な場合、シーケンスは再度繰り返される。
【００３０】
第一の実施形態によると、ＲＶ戦略には番号をつけることができ、例えばＣＣは戦略番号「０」を有する可能性があり、ＰＩＲは戦略番号「１」を有する可能性があり、ＦＩＲは戦略番号「２」を有する可能性がある。当然ながら、その他の戦略も特定されそれに相当するものとして番号をつけられる可能性がある。接続開始時において、ＲＮＣ３０は、ＲＲＣシグナリングを使用してＵＥ１０に接続に使用されるＲＶ戦略を知らせる。したがって、例えば４つの異なる戦略が特定されている場合、二進情報パターンを使用して戦略を知らせるために２ビットが必要である。
【００３１】
アップリンク指示にて使用されるＲＶパラメータは、その後ＵＥ１０によるアウトバンドで、すなわちデータから別個に保護された自己のシグナリングチャネルを使用して信号で伝えられることができる。個別のＲＶ戦略を特定することにより、ＲＶパラメータの送信に要求されるビット数、ひいてはアップリンクアウトバンド情報の数が、選択されたＲＶ戦略に依存するようにされ得る。例えばＣＣ戦略が選択された場合、ＲＶの組み合わせはシーケンス全体で把握されているため、ＲＶパラメータにはシグナリングが要求されない。ＰＩＲに関しては、実行可能なＲＶパラメータの組み合わせは４つしかないため、必要なのは２ビットのみである。したがって、アウトバンド情報ビットは、ＲＶパラメータまたはパラメータの組み合わせがノードＢ２０からＵＥ１０へ信号で伝えられる場合、削減されることができる。
【００３２】
第二の実施形態によると、ＵＥ１０によって使用されるシーケンスまたはＲＶパラメータは、ＲＲＣシグナリングを使用することにより、接続の開始時または設定時にＲＮＣ３０からＵＥ１０へ信号で伝えられる。ネットワークはこの接続に使用する所定のシーケンス、例えば、｛０、１、２、４｝のシーケンスを選択してよい。この第二の好適な実施形態は、ネットワークまたはネットワークオペレータが特定の用途またはネットワーク環境に適合するＲＶパラメータの任意のシーケンスを定義できるという利点を提供する。しかし、この場合、より多くのビットが信号で伝えられなくてはならない。上記した８つの異なるＲＶパラメータの組み合わせの例においては、各ＲＶの組み合わせに対し３ビットが要求される。したがって、シーケンスに４つのＲＶの組み合わせが特定された場合には、そのシーケンスを特定するために合計１２ビットが必要である。
【００３３】
第三の実施形態によると、ＲＶシーケンスは、ノードＢ２０およびＵＥ１０で事前構成可能となるように、ネットワーク仕様において特定されることができる。選択されたＲＶ戦略は、その後セル―またはネットワーク―特有となることができ、共通チャネルにおいて一斉送信されることができる。その結果、ＲＶ戦略は特定のセルまたはネットワーク内のすべてのＵＥについて同じである。あるＲＶ戦略を使用する理由がノードＢ能力である場合、また例えば、それにより関係するセル内のすべてのＵＥが同じＲＶ戦略を使用するべきである場合、ＲＶ戦略がすべてのＵＥに同時に一斉送信されれば、シグナリング容量を節約することができる。
【００３４】
図２は、ネットワークから受信した戦略情報ＲＳに基づいて制御されることができるユニット１０２を生成する、適応性があり制御可能なＲＶパラメータを有するＵＥ１０において提供される、再送要求機能性１００の略ブロック図を示す。
【００３５】
再送要求機能性１００は、高速アップリンクＤＣＨ（ＥＤＣＨ）チャネルまたはその他任意の物理チャネルまたは運輸チャネルに使用されることができ、先のチャネルコーダから受信したインプットデータＤｉのビット数がアウトプットデータＤｏのビット総数と一致するように構成されている。再送要求機能性１００は、例えば上記表に示されるＲＶパラメータｓおよびｒによって制御される。再送要求機能性１００のアウトプットにおけるビットの的確なセットは、インプットビットの数、アウトプットビットの数、およびＲＶパラメータにより決まる。
【００３６】
再送要求機能性１００は、２つのレートマッチング段階１０６と１１０、および仮想バッファ１０８を含む。さらに、ビット分離機能１０４も含み、ここで第一のレートマッチングブロック１０６へのビットシーケンスインプットにおける系統ビット、第一の奇遇検査ビットおよび第二の奇遇検査ビットは、３つのシーケンスに分離される。加えて、ビット収集機能１１２は、ビット分離機能１０４に逆関数を提供する。ビット分離機能１１２は、畳み込み符号化された輸送チャネルおよび繰り返してターボ符号化された輸送チャネルに対し、トランスペアレントである。上記のビット分離機能１０４、第一および第二のレートマッチング機能１０６、仮想バッファユニット１０８、およびビット収集機能１１２についての詳細は、３ＧＰＰ仕様ＴＳ２５．２１２より収集できる。
【００３７】
第二のレートマッチング段階１１０において、レートマッチング規則は上記３ＧＰＰ仕様において定められるように、ＲＶパラメータｓおよびｒの値に基づいて適用される。
【００３８】
第一から第三の実施形態によると、ＲＶパラメータ生成機能１０２は、特定のパラメータシーケンスを定義する戦略情報をネットワークから受信し、対応するＲＶパラメータ値、例えば上記表に示されるような値を生成する。シーケンスが事前構成されており、そのためＵＥ１０に格納されている場合、この生成は探索操作に基づいてもよい。これは第一および第三の実施形態における事例であってよい。第二の実施形態において、パラメータ生成機能１０２はメモリ内のネットワークから信号で伝えられたＲＶシーケンスを格納し、対応するＲＶパラメータを第二のレートマッチング機能１１０にうまく適用するよう構成されてよい。
【００３９】
上記の実施形態は、結合のためのいくつかの戦略を定義するのに使用されることができ、それはＲＶパラメータの組み合わせの異なるシーケンス、例えば自己復号化可および／または非自己複合化可を使用する。これらの戦略は固定すなわち各仕様において定義されるか、または構成可能であるかのいずれかである。ネットワークは戦略のひとつを選択し、それを接続設定時にＵＥ１０へ伝えるか、またはいくつかのＵＥに一斉送信する。その戦略に基づき、例えば、戦略ＣＣのＲＶビットなしの場合にはアウトバンドシグナリングというように、異なるシグナリング原理が使用される。したがって、ＲＶ戦略のセットは定義されることができ、ネットワーク、例えばＲＮＣ３０またはノードＢ２０は、選択された戦略をＵＥ１０に対し容易に信号で伝えることができる。このように異なるＲＶ戦略および関連したシグナリングを有する単純な解決策は、ＵＥ１０に使用すべきＲＶ戦略について情報を与えるために提供されることができる。ネットワークは、使用される戦略を決定することができる。決定はノードＢ能力に基づく、もしくはネットワークが持ち得る性能問題またはその他の理由に基づくものであってよい。ＵＥ１０内において半静的方式で定義された再送信を有する構想が、したがって例えば、ハイエンドのノードＢが接続されたＵＥに対し増分冗長（ＩＲ）を再送信に使用することを命じ、一方でバッファ能力の限られたローエンドのノードＢが接続されたＵＥに対しＰＩＲまたはＣＣさえも再送信に使用することを命じることができるように提供されることができる。
【００４０】
本発明は上記の実施形態に限定されるものではなく、端末装置がＡＲＱ処理のために冗長戦略を使用する任意の自動再送要求処理スキームを持つ任意の通信ネットワークにおいて使用されることができることを述べておく。さらに、冗長パラメータの所定シーケンスを定義するいかなる戦略でも、信号で伝えられることができる。特に注目すべきは、上記の２段階のレートマッチングスキームは本明細書において一例として使用されているにすぎないということである。高速アップリンクＤＣＨにおいて使用される実際のスキームは、例えば１段階のみを使用するというように異なっていてもよい。また、ＲＶパラメータもＨＳＤＰＡに使用されるものと異なっていてもよい。例えば、上記のｓまたはｒパラメータのうち一方のみを使用することもできる。しかし、スキームは少なくとも２つの冗長バージョンをサポートし、ＲＶのシーケンスはネットワークにより選択可能である。最小で、例えば先に記載した表中の０と１（または２）のように、２つのみのＲＶが特定される可能性がある。その場合には、実行可能可能な戦略／シーケンスは例えば｛０、０、０、０｝および｛０、１、０、１｝となる可能性がある。ネットワークは、これらの戦略からひとつを選択し、例えばダウンリンクＲＲＣシグナリングを使用してそれをＵＥに信号で伝えることとなる。するとＵＥは選択された戦略に従ってＲＶを使用するであろう。例えば、第二のシーケンス｛０、１、０、１｝がネットワークによって選択された場合、ＵＥは第一にＲＶ＝０、そのブロックの第一の再送信にＲＶ＝１、そのブロックの第二の再送信にＲＶ＝０、等を使用するであろう。好適な実施形態は、付属の特許請求の範囲内でこのように変化してよい。
【図面の簡単な説明】
【００４１】
【図１】好適な実施形態に従う、端末装置およびノードＢ装置を備えたネットワークアーキテクチャの概略図を示す。
【図２】好適な実施形態に従う、端末装置において提供されるようなＨ‐ＡＲＱ機能性の略ブロック図を示す。
【図１】
2007507954.tif 000004
【図２】
2007507954.tif 000005
【手続補正書】
【提出日】平成18年6月30日(2006.6.30)
【手続補正１】
【補正対象書類名】特許請求の範囲
【補正対象項目名】全文
【補正方法】変更
【補正の内容】
【特許請求の範囲】
【請求項１】
端末装置（１０）における自動再送要求処理のための冗長パラメータを提供する方法であって、
冗長パラメータの所定のシーケンスのセットを用意するステップと、
前記所定シーケンスのセットのうち少なくともひとつを選択するステップと、
選択された少なくともひとつのシーケンスを差し示す情報を前記端末装置（１０）に送信するステップと、
を含む方法。
【請求項２】
インデックスおよびポインタのうち少なくともひとつを含む前記情報を、前記選択された少なくともひとつの所定シーケンスに用意するステップをさらに含む、請求項１に記載の方法。
【請求項３】
前記送信するステップが上位レイヤシグナリングを使用して実行される、請求項１に記載の方法。
【請求項４】
前記送信するステップにおいて、前記上位レイヤシグナリングが無線リソース制御シグナリングを含む、請求項３に記載の方法。
【請求項５】
前記選択された少なくともひとつのシーケンスから使用される冗長パラメータについて通知するために、アウトバンドシグナリングを使用するステップをさらに含む、請求項３に記載の方法。
【請求項６】
前記使用するステップにおいて、前記アウトバンドシグナリングの量が、前記選択された少なくともひとつのシーケンスに依存するようにされている、請求項５に記載の方法。
【請求項７】
前記送信するステップが接続開始時に実行される、請求項１に記載の方法。
【請求項８】
前記用意するステップにおいて、前記所定シーケンスのセットが予め定義された固定のセットを含む、請求項１に記載の方法。
【請求項９】
前記用意するステップにおいて、前記冗長パラメータが自己復号化可能冗長バージョンを定義する第一のパラメータおよびパンクチャされるビットを定義する第二のパラメータを含む、請求項１に記載の方法。
【請求項１０】
前記用意するステップにおいて、前記所定シーケンスのセットが、チェイス合成戦略、部分的増分冗長戦略、および完全増分冗長戦略のうち少なくともひとつに関連するシーケンスを含む、請求項１に記載の方法。
【請求項１１】
前記送信するステップにおいて、前記情報が前記冗長パラメータのシーケンスを含む、請求項１に記載の方法。
【請求項１２】
前記送信するステップが、前記情報を所定の領域内に位置する実質上すべての端末装置へ一斉送信することにより実行される、請求項１に記載の方法。
【請求項１３】
前記送信するステップが、前記情報を所定の領域内に位置するすべての端末装置へ一斉送信することにより実行される、請求項１２に記載の方法。
【請求項１４】
前記送信するステップが無線通信リンクを介して実行される、請求項１に記載の方法。
【請求項１５】
高速アップリンク専用チャネルにおけるデータ送信のため前記自動再送要求処理を実行するステップをさらに含む、請求項１に記載の方法。
【請求項１６】
冗長戦略を自動再送要求処理機能（１００）に適用するための端末装置であって、
選択された冗長パラメータのシーケンスを差し示す情報を受信するための受信手段と、
前記情報の受信を受けて、前記自動再送要求機能（１００）のための前記選択された冗長パラメータのシーケンスを生成するための、前記受信手段に対して動作可能に接続されたパラメータ生成手段（１０２）と、
を含む、前記端末装置（１０）。
【請求項１７】
前記受信手段に対し動作可能なように接続された移動体通信ネットワークの携帯端末（１０）をさらに含む、請求項１６に記載の端末装置。
【請求項１８】
前記受信手段が、無線リソース制御シグナリングを介して前記情報を受信するよう構成される、請求項１６に記載の端末装置。
【請求項１９】
前記端末装置（１０）が、アウトバンドシグナリングを使用することにより、前記選択された少なくともひとつのシーケンスから使用される冗長パラメータについて通知するよう構成される、請求項１６に記載の端末装置。
【請求項２０】
前記端末装置が、前記受信した情報を受けて前記アウトバンドシグナリングの量を設定するよう構成される、請求項１９に記載の端末装置。
【請求項２１】
前記パラメータ生成手段（１０２）が、自己復号化可能冗長バージョンを定義する第一のパラメータおよびパンクチャされるビットを定義する第二のパラメータを生成するよう構成される、請求項１６に記載の端末装置。
【請求項２２】
前記受信手段に対して動作可能に接続され、冗長パラメータのシーケンスのセットを格納するための格納手段をさらに含み、前記情報が前記格納されたシーケンスのセットに対するインデックスおよびポインタのうち少なくともひとつを含む、請求項１６に記載の端末装置。
【請求項２３】
端末装置（１０）に通信リンクを提供するためのネットワーク装置であって、
冗長パラメータのシーケンスを選択するための選択手段と、
前記選択手段に対して動作可能に接続された、前記選択されたシーケンスを差し示す情報を生成するための生成手段と、
前記選択手段に対して動作可能に接続された、前記情報を前記端末装置へ送信するための送信手段と、
を含むネットワーク装置。
【請求項２４】
前記選択手段に対して動作可能に接続された、使用される冗長パラメータについての通知を、アウトバンドシグナリングチャネルを介して受信するための受信手段をさらに含む、請求項２３に記載のネットワーク装置。
【請求項２５】
前記送信手段が、所定の領域を対象とするブロードバンドチャネル内において、前記情報を送信するよう構成される、請求項２３に記載のネットワーク装置。
【請求項２６】
前記選択手段に対して動作可能に接続された、前記冗長パラメータのシーケンスのセットを格納するための格納手段をさらに含む、請求項２３に記載のネットワーク装置。
【請求項２７】
前記ネットワーク装置が、基地局装置（２０）および無線ネットワーク制御装置（３０）のうち少なくともひとつを含む、請求項２３に記載のネットワーク装置。
【請求項２８】
端末装置（１０）における自動再送要求処理のための冗長パラメータを提供するためのシステムであって、冗長戦略を自動再送要求機能に適用するように構成された端末装置（１０）と、前記端末装置（１０）に対し動作可能なように接続されると共に端末装置（１０）に通信リンクを提供するよう構成されたネットワーク装置とを備え、
さらに前記端末装置（１０）は、
選択された冗長パラメータのシーケンスを差し示す情報を受信するように構成された受信機と、
前記受信機に対し動作可能なように接続され、前記情報の受信を受けて前記自動再送要求機能のために前記選択された冗長パラメータのシーケンスを生成するよう構成されたパラメータ生成ユニットとを備え、
前記ネットワーク装置は、
冗長パラメータのシーケンスを選択するよう構成された選択ユニットと、
前記選択ユニットに対して動作可能なように接続され、前記選択されたシーケンスを差し示す情報を生成するよう構成された生成器と、
前記選択ユニットに対し動作可能なように接続され、前記情報を前記端末装置へ送信するよう構成された送信機とを備える、
システム。
【請求項２９】
冗長戦略を自動再送要求機能に適用するための装置であって、
選択された冗長パラメータのシーケンスを差し示す情報を受信するよう構成された受信機と、
前記受信機に対し動作可能なように接続され、前記情報の受信を受けて前記自動再送要求機能のために前記選択された冗長パラメータのシーケンスを生成するよう構成されたパラメータ生成ユニットと、
を含む装置。
【請求項３０】
端末装置（１０）に通信リンクを提供できる装置であって、
冗長パラメータのシーケンスを選択するよう構成された選択ユニットと、
前記選択ユニットに対し動作可能なように接続され、前記選択されたシーケンスを差し示す情報を生成するよう構成された生成器と、
前記選択ユニットに対し動作可能なように接続され、前記情報を前記端末装置（１０）へ送信するよう構成された送信機と、
を含む装置。
【請求項３１】
前記送信するステップが、前記端末装置に対して選択された少なくともひとつのシーケンスを差し示す戦略情報を送信するステップ含む、請求項１に記載の方法。
【請求項３２】
前記受信手段が、選択された冗長パラメータのシーケンスを差し示す戦略情報を受信する、請求項１６に説明される装置。
【請求項３３】
前記生成手段が、選択されたシーケンスを差し示す戦略情報を生成する、請求項２３に説明される装置。
【請求項３４】
前記受信機が、選択された冗長パラメータのシーケンスを差し示す戦略情報を受信するよう構成される、請求項２８に説明される装置。
【請求項３５】
前記受信機が、選択された冗長パラメータのシーケンスを差し示す戦略情報を受信するよう構成される、請求項２９に説明される装置。
【請求項３６】
前記生成器が、前記選択されたシーケンスを差し示す戦略情報を生成する、請求項３０に説明される装置。
【国際調査報告】
2007507954.tif 000006
2007507954.tif 000007
2007507954.tif 000008